(57)【要約】【課題】位置登録エリアの設定変更をする際の指標と、最適な位置登録エリア設定の算出方法を確立して、この最適な位置登録エリア設定を適用することにより、制御信号のトラフィックの抑制しネットワーク負荷を軽減し、かつ、そのための設備投資費の増大させないようにする。【解決手段】エリア管理サーバにより、位置登録エリアのセル構成を定める移動体無線通信システムの位置登録エリア設定方法であって、エリア管理サーバは、ある一定期間におけるセル間のハンドオーバ数に関する情報と、位置登録エリアにセルの分割パターンに関する情報とを保持し、エリア管理サーバが、分割パターンの境界に関し、セル間のハンドオーバ数の総和を算出する。そして、分割パターンのセル間のハンドオーバ数の総和のうちで、最も小さくなる分割パターンを、推奨位置登録エリアとして算出して、出力する。【選択図】  図１０
2017157909.tif 000002
【特許請求の範囲】
【請求項１】
情報処理装置により、位置登録エリアのセル構成を定める移動体無線通信システムの位置登録エリア設定方法であって、
前記情報処理装置は、
ある一定期間におけるセル間のハンドオーバ数に関する情報と、
前記位置登録エリアに前記セルの分割パターンに関する情報とを保持し、
情報処理装置が、前記分割パターンの境界に関し、前記セル間のハンドオーバ数の総和を算出するステップと、
情報処理装置が、前記分割パターンの前記セル間のハンドオーバ数の総和のうちで、最も小さくなる分割パターンを、推奨位置登録エリアとして算出して、出力するステップとからなることを特徴とする移動体無線通信システムの位置登録エリア設定方法。
【請求項２】
さらに、前記情報処理装置は、ＭＭＥ（Mobility Management Entity）に記録されたからハンドオーバ履歴情報を受信し、前記ハンドオーバ履歴情報に基づいて、セル間のハンドオーバ数を算出するステップを有することを特徴とする請求項１記載の移動体無線通信システムの位置登録エリア設定方法。
【請求項３】
さらに、推奨位置登録エリアの出力結果を、変更前と変更後に対比して地図として表示するステップを有することを特徴とする請求項１記載の移動体無線通信システムの位置登録エリア設定方法。
【請求項４】
ＬＴＥ（Long Term Evolution）システムにおいて位置登録エリアのセル構成を定める移動体無線通信システムの位置登録エリア設定方法であって、
前記ＬＴＥシステムは、ＮＥＭ（Network Enhanced Management System）と、ＮＥＭ操作端末と、ＭＭＥ（Mobility Management Entity）と、エリア管理サーバとを備え、
前記ＮＥＭ（Network Enhanced Management System）と、ＮＥＭ操作端末と、ＭＭＥ（Mobility Management Entity）と、エリア管理サーバとは、各々ネットワークにより接続され、
前記ＮＥＭ操作端末が、前記ＮＥＭに位置登録エリアの算出命令を送信するステップと、
前記ＮＥＭが、前記ＭＭＥにハンドオーバ履歴情報の要求を送信するステップと、
前記ＭＭＥが、前記ＮＥＭにハンドオーバ履歴情報を送信するステップと、
前記ＮＥＭが、前記エリア管理サーバに、受信したハンドオーバ履歴情報を送信するステップと、
前記エリア管理サーバが、受信したハンドオーバ履歴情報に基づき、セル間ハンドオーバ数を算出するステップと、
前記エリア管理サーバが、算出したセル間ハンドオーバ数に基づき、位置登録エリアの推奨設定を算出するステップと、
前記エリア管理サーバが、前記ＮＥＭに算出した位置登録エリアの推奨設定を送信するステップと、
前記ＮＥＭが、前記ＮＥＭ操作端末に受信した位置登録エリアの推奨設定を送信するステップとを有することを特徴とする移動体無線通信システムの位置登録エリア設定方法。
【発明の詳細な説明】
【技術分野】
【０００１】
本発明は、移動体無線通信システムの位置登録エリア設定方法に係り、特に、ＬＴＥ（Long Term Evolution）（登録商標）システムにおいて、位置登録エリアを最適化し、ネットワークの負荷を軽減するのに好適な移動体無線通信システムの位置登録エリア設定方法に関する。
【背景技術】
【０００２】
近年の高性能化した無線通信端末（スマートフォン）の急速な普及、コンテンツのリッチ化などにより、無線通信よるデータトラフィクは、著しく増大している。このような状況に対応するため、新しい通信規格（３．９Ｇとも、４Ｇともいわれる）として、ＬＴＥが主流となってきている。
【０００３】
ところで、従来、移動無線端末の管理においては、基地局を中心に置きそこから電波を届く範囲をセルとして、セル単位で行う方法が知られていた。ＬＴＥの通信規格を利用した移動体無線システムでは、そのようなセル単位の他に位置登録エリア（Tracking Area）といわれる論理的単位で、移動端末の位置を登録している。位置登録エリアは、同一のＭＭＥ（Mobility Management Entity：移動管理装置）と接続している複数のｅＮＢ（E−UTRAN NodeB：無線基地局）のセルで構成される。ＬＴＥシステムにおいては、Ｉｄｌｅ状態の移動端末に着信があったときには、この位置登録エリア単位でページング（端末呼出し）を行う仕様になっており、同一の位置登録エリアに所属するｅＮＢは、自セル内でページングパケットを送信し、着信のある移動端末をＡｃｔｉｖｅ状態に遷移させる。移動端末が位置登録エリア境界を越えて移動すると、ハンドオーバ（端末の接続する基地局の切り替え）時に位置登録更新処理を行ない、当該移動端末の所属する位置登録エリアが変更される。
【０００４】
ハンドオーバを考慮して適切なエリア設計を行う技術については、例えば、特許文献１がある。特許文献１に開示された移動通信システムは、移動端末のハンドオーバ時にハンドオーバの履歴情報を取得、分析し（図３）、セルの適切なエリア設計を行う（要約）ものである。
【先行技術文献】
【特許文献】
【０００５】
【特許文献１】特開２０１３−９３７３２号公報
【発明の概要】
【発明が解決しようとする課題】
【０００６】
ＬＴＥシステムにおいては、移動端末が位置登録エリアの境界を越える際には、通常のセル間を移動する際に送受信されるハンドオーバの制御信号の他に、移動管理装置（後述）と加入者情報管理サーバ（後述）の間で位置情報更新の制御信号が送受信される。このため、最適でない位置登録エリアの設定を行なった場合、位置登録エリアの境界を越える移動端末の移動数が増加することにより移動管理装置と加入者情報管理サーバの間での位置情報更新の制御信号の送受信数が増加し、最適な位置登録エリア設定に設定した場合と比較して、制御信号のトラフィックが増加するという問題点があった。また、位置登録エリアの設定は周辺環境の変化によって最適なエリア設定が変動し得るため、周辺環境の変化に合わせて位置登録エリア設定が最適になるよう見直しを行うべきであるが、位置登録エリアの設定を変更する際の指標となる数値がない。このため、位置登録エリアの設定の良さを表す指標と、その指標を用いた適切なエリア設計の手法が求められている。
【０００７】
特許文献１に記載されている方法では、ハンドオーバの履歴情報の取得や分析を行うことによるセルの適切なエリア設計手法を提案しているが、位置登録エリアのエリア設計については検討されていないため、位置登録エリアの最適化の手段にはなりえない。
【０００８】
本発明は、上記問題点を解決するためになされたもので、その目的は、位置登録エリアの設定変更をする際の指標と、最適な位置登録エリア設定の算出方法を確立して、この最適な位置登録エリア設定を適用することにより、制御信号のトラフィックの抑制しネットワーク負荷を軽減し、かつ、そのための設備投資費を増大させないような移動体無線通信システムの位置登録エリア設定方法を提供することにある。
【課題を解決するための手段】
【０００９】
本発明の移動体無線通信システムの位置登録エリア設定方法の構成は、情報処理装置により、位置登録エリアのセル構成を定める移動体無線通信システムの位置登録エリア設定方法であって、情報処理装置は、ある一定期間におけるセル間のハンドオーバ数に関する情報と、位置登録エリアにセルの分割パターンに関する情報とを保持し、情報処理装置が、分割パターンの境界に関し、セル間のハンドオーバ数の総和を算出するステップと、情報処理装置が、分割パターンのセル間のハンドオーバ数の総和のうちで、最も小さくなる分割パターンを、推奨位置登録エリアとして算出して、出力するステップとからなる。
【発明の効果】
【００１０】
本発明によれば、位置登録エリアの設定変更をする際の指標と、最適な位置登録エリア設定の算出方法を確立して、この最適な位置登録エリア設定を適用することにより、制御信号のトラフィックの抑制しネットワーク負荷を軽減し、かつ、そのための設備投資費の増大させないような移動体無線通信システムの位置登録エリア設定方法を提供することができる。
【図面の簡単な説明】
【００１１】
【図１】ＬＴＥシステムの全体の構成を示す構成図である。
【図２】エリア管理サーバ１２０のハードウェア・ソフトウェア構成を示すブロック図である。
【図３】ＬＴＥシステムにおけるｅＮＢ２０のセル構成の一例を示す図である。
【図４】図３のセル構成において、Ｔｒａｃｋｉｎｇ  Ａｒｅａを定める場合の一例を示す図である。
【図５】位置登録エリア内の異なるセルに移動した場合のハンドオーバ処理を示すシーケンス図である。
【図６】Ｔｒａｃｋｉｎｇ  Ａｒｅａ更新処理を伴うハンドオーバ処理のシーケンス図である。
【図７】ハンドオーバ履歴情報を示す図である。
【図８】セル間ハンドオーバ数を表にした例を示す図である。
【図９】ハンドオーバ履歴情報からセル間ハンドオーバ数を算出する処理を示すフローチャートである。
【図１０】Ｔｒａｃｋｉｎｇ  Ａｒｅａの推奨設定を算出する処理を示すフローチャートである。
【図１１】図４のＴｒａｃｋｉｎｇ  Ａｒｅａを変更する場合の一例を示す図である。
【図１２】Ｔｒａｃｋｉｎｇ  Ａｒｅａの推奨設定のシステムにおける処理を示すシーケンス図である。
【図１３】Ｔｒａｃｋｉｎｇ  Ａｒｅａの推奨設定の表示ＵＩの一例を示す図である。
【発明を実施するための形態】
【００１２】
以下、本発明に係る一実施形態を、図１ないし図１３を用いて説明する。
【００１３】
先ず、図１を用いて一実施形態に係るＬＴＥシステムの構成を説明する。  
図１は、ＬＴＥシステムの全体の構成を示す構成図である。
【００１４】
本実施形態のＬＴＥシステムは、図１に示されるように、ＵＥ（User Equipment：移動端末）１０、１１、１２、ｅＮＢ２０、２１、２２、ＭＭＥ３０、Ｓ−ＧＷ（Serving−Gateway：ユーザデータ転送装置）４０、Ｐ−ＧＷ（Packet Data Network−Gateway：ＰＤＮ転送装置）５０、ネットワーク６０、ＰＣＲＦ（Policy and Charging Rules Function：ポリシー制御装置）７０、ＨＳＳ（Home Subscriber Server：加入者情報管理サーバ）８０、ＮＥＭ（Network Enhanced Management System：装置管理システム）９０、エリア管理サーバ１２０で構成される。
【００１５】
ｅＮＢ２０、２１、２２は、ＬＴＥ規格の無線通信に対応した無線基地局であり、ＵＥ１０、１１、１２に無線アクセスを提供し、ＵＥ１０、１１、１２から受信した制御信号をＭＭＥ３０に転送し、ＭＭＥ３０から受信したユーザデータをＵＥ１０、１１、１２に転送する。また、ＵＥ１０、１１、１２から受信したユーザデータをＳ−ＧＷ４０に転送し、Ｓ−ＧＷ４０から受信したユーザデータをＵＥ１０、１１、１２に転送する。
【００１６】
ＭＭＥ３０は、ＬＴＥ無線アクセスにおけるＵＥ１０の移動管理、認証及びｅＮＢ２０とＳ−ＧＷ４０間のユーザデータ転送経路の設定処理を行う。ＭＭＥ３０は、配下に所属するｅＮＢをＴｒａｃｋｉｎｇ  Ａｒｅａ（位置登録エリア）という論理的単位で管理する。図１では、ＭＭＥ３０配下にｅＮＢ２０、２１、２２の３台のｅＮＢが所属し、ｅＮＢ２０とｅＮＢ２１がＴｒａｃｋｉｎｇ  Ａｒｅａ＃１に含まれ、ｅＮＢ２２がＴｒａｃｋｉｎｇ  Ａｒｅａ＃２に含まれる。
【００１７】
Ｓ−ＧＷ４０は、ユーザデータを転送するゲートウェイであり、ｅＮＢとの間でユーザデータの送受信を行う。
【００１８】
Ｐ−ＧＷ５０は、移動端末が３ＧＰＰ（Third Generation Partnership Project）で規定する無線アクセスと、非３ＧＰＰのパケットネットワーク（ＰＤＮ）の無線の間を移動する場合において、ユーザデータ転送の切り替えを行ない、ネットワーク６０とＬＴＥシステムのコアネットワーク（ＥＰＣ：Evolved Packet Core）との接続を行う。
【００１９】
ＰＣＲＦ７０は、Ｓ−ＧＷ４０やＰ−ＧＷ５０で通信品質制御を行うために、ＱｏＳなどのポリシー制御や課金制御ルールを決定するポリシー制御装置である。
【００２０】
ＨＳＳ８０は、ＵＥ１０の電話番号や端末識別番号などのユーザ情報を管理するデータベースである。ＨＳＳ８０は、Ｔｒａｃｋｉｎｇ  Ａｒｅａに関する情報を保持する。
【００２１】
ＮＥＭ９０は、ＬＴＥシステムの各ノードの監視及び制御を行う装置である。
【００２２】
本実施形態では、オペレータ１００は、ＮＥＭ操作端末１１０を介してＮＥＭ９０を操作し、ＬＴＥシステムの各ノードの監視及び制御を行うものとする。
【００２３】
エリア管理サーバ１２０は、ＮＥＭ９０における制御操作で取得したネットワーク内のデータを保存し、特に、Ｔｒａｃｋｉｎｇ  Ａｒｅａの管理と設定をするサーバである。
【００２４】
次に、図２を用いてエリア管理サーバ１２０のハードウェア・ソフトウェア構成を説明する。
図２は、エリア管理サーバ１２０のハードウェア・ソフトウェア構成を示すブロック図である。
【００２５】
エリア管理サーバ１２０は、図２に示されるように、ＣＰＵ（Central Processing Unit）１２１、主メモリ１２２、ＮＷＩＦ（Network Interface）１２３、ＨＤＤ（hard disc drive）１２４で構成される。
【００２６】
ＣＰＵ１２１は、主メモリ１２２から読み取ったセル間ハンドオーバ数抽出処理、Ｔｒａｃｋｉｎｇ  Ａｒｅａ推奨設定算出処理などを行うためのプログラムを実行する。主メモリ１２２は、ＨＤＤからロードされたプログラムを記憶したり、ワークデータを格納する記憶装置である。本実施形態では、セル間ハンドオーバ数抽出処理、Ｔｒａｃｋｉｎｇ  Ａｒｅａ推奨設定算出処理などを行うためのプログラムがロードされる。ＮＷＩＦ１２３は、ＮＥＭ９０とハンドオーバ履歴情報やＴｒａｃｋｉｎｇ  Ａｒｅａの推奨設定などのデータを中継するインタフェースである。ＨＤＤ１２４は、大容量の磁気記憶装置であり、特に、本実施形態では、プログラムとして、ＮＥＭインタフェースプログラム２００、ハンドオーバ算出プログラム２０１、Ｔｒａｃｋｉｎｇ  Ａｒｅａ算出プログラム２０２を保持し、データベースとして、Ｔｒａｃｋｉｎｇ  Ａｒｅａ情報ＤＢ３００、ハンドオーバ情報履歴ＤＢ３０１を保持する。
【００２７】
ＮＥＭインタフェースプログラム２００は、ＮＥＭとのデータの受け渡しのインタフェースを行うプログラムである。ハンドオーバ算出プログラム２０１は、ハンドオーバ履歴情報からセル間のハンドオーバ数を算出するプログラムである。Ｔｒａｃｋｉｎｇ  Ａｒｅａ算出プログラム２０２は、セル間のハンドオーバ数に基づき、Ｔｒａｃｋｉｎｇ  Ａｒｅａの推奨設定の構成を算出するプログラムである。
【００２８】
Ｔｒａｃｋｉｎｇ  Ａｒｅａ情報ＤＢ３００は、Ｔｒａｃｋｉｎｇ  Ａｒｅａのセル構成に関する情報を保持するＤＢである。セルハンドオーバ情報履歴ＤＢ３０１は、セルのハンドオーバに関する情報を保持するＤＢである。セルのハンドオーバに関する情報に関しては、後に、詳述する。
【００２９】
本実施形態では、セル間ハンドオーバ数の算出やＴｒａｃｋｉｎｇ  Ａｒｅａ推奨設定の算出をエリア管理サーバ１２０で行う例について説明するが、それに限らず、上記の必要なプログラムがインストールされ、データベースがアクセスできるような情報処理装置（Computer）であればよい。
【００３０】
次に、図３及び図４を用いてＬＴＥシステムにおけるセル構成と、Ｔｒａｃｋｉｎｇ  Ａｒｅａの概念について説明する。  
図３は、ＬＴＥシステムにおけるｅＮＢ２０のセル構成の一例を示す図である。  
図４は、図３のセル構成において、Ｔｒａｃｋｉｎｇ  Ａｒｅａを定める場合の一例を示す図である。
【００３１】
セルとは、ｅＮＢ２０から電波届く範囲として捉えられ、ＵＥ１０があるセルからその隣のセルに移動した場合には、通信のための制御を受け渡すハンドオーバ処理が行なわれる。ここでは、セルは、形式上正六角形として説明する。図３に示された例では、セル＃１〜＃７の７セルが存在し、中央のセル＃４は、その他の６セル、セル＃４以外の６セルは、それぞれ３セルと隣り合って配置されている。
【００３２】
Ｔｒａｃｋｉｎｇ  Ａｒｅａは、セルをいくつかの単位としてまとめた論理的な範囲であり、ＬＴＥシステム側からあるＵＥ１０に着信があったときに、ページングを行う単位でもある。ここでは、図３に示されたセル構成において、図４に示されるように、セル＃１、＃２、＃５をＴｒａｃｋｉｎｇ  Ａｒｅａ＃１とし、セル＃３、＃４、＃６、＃７をＴｒａｃｋｉｎｇ  Ａｒｅａ＃２として、これら七つのセルを二つの位置登録エリアに分割している。位置登録エリア境界は、セル＃２と＃３間、セル＃２と＃４間、セル＃１と＃４間、セル＃４と＃５間、セル＃５と＃６間となる。
【００３３】
ＵＥ１０がＴｒａｃｋｉｎｇ  Ａｒｅａ内の異なるセルに移動した場合（例えば、セル＃１からセル＃２に移動した場合）、ハンドオーバ処理が実行される。ハンドオーバとは、ＵＥ１０と通信するｅＮＢを、ＵＥの移動中に他のｅＮＢに切り替えることである。
【００３４】
次に、図５及び図６を用いてハンドオーバの処理について説明する。  
図５は、位置登録エリア内の異なるセルに移動した場合のハンドオーバ処理を示すシーケンス図である。  
図６は、Ｔｒａｃｋｉｎｇ  Ａｒｅａ更新処理を伴うハンドオーバ処理のシーケンス図である。
【００３５】
先ず、ＵＥ１０が、位置登録エリア内の異なるセルに移動した場合に、移動元ｅＮＢ２０がＵＥ１０の移動を検知し、移動先ｅＮＢ２１にハンドオーバ要求を送信する（Ｓ１００１）。移動先ｅＮＢ２１は、ハンドオーバ要求応答を移動元ｅＮＢ２０に送信する（Ｓ１００２）。
【００３６】
次に、ハンドオーバ要求応答を受信した移動元ｅＮＢ２０は、ＵＥ１０にハンドオーバ指示を送信する（Ｓ１００３）。移動元ｅＮＢ２０からのハンドオーバ指示を受信したＵＥ１０は、移動先ｅＮＢ２１にハンドオーバ指示応答を送信する（Ｓ１００４）。
【００３７】
次に、移動先ｅＮＢ２１は、ＭＭＥ３０にパス切り替え要求を送信し（Ｓ１００５）、ＭＭＥ３０は、パス切り替え応答１００６を移動先ｅＮＢ２１に返信する（Ｓ１００６）。
【００３８】
パス切り替え応答を受信した移動先ｅＮＢ２１は、移動元ｅＮＢ２０にリソース解放指示を送信し（Ｓ１００７）、移動元ｅＮＢ２０でＵＥ１０の情報が削除される。
【００３９】
次に、ＵＥ１０がＴｒａｃｋｉｎｇ  Ａｒｅａ境界を越え、異なるＴｒａｃｋｉｎｇ  Ａｒｅａに所属するセルに移動した場合（例えば、セル＃１からセル＃４に移動した場合）、ハンドオーバ処理と同時にＴｒａｃｋｉｎｇ  Ａｒｅａ更新処理が実行される。
【００４０】
ハンドオーバ要求Ｓ１００１からリソース解放指示Ｓ１００７までのシーケンスは、図５のハンドオーバ要求１００１からリソース解放指示１００７と同等である。この後、ＵＥ１０は、図６に示されるように、ＭＭＥ３０に位置登録エリア更新要求を送信する（Ｓ２００８）。位置登録エリア更新要求を受信したＭＭＥ３０は、ＨＳＳ８０に位置情報更新要求を送信し（Ｓ２００９）、ＨＳＳ８０は、ＭＭＥ３０に位置情報更新応答を返信する（Ｓ２０１０）。位置情報更新応答２０１０を受信したＭＭＥ３０は、ＵＥ１０に位置登録エリア更新応答を送信し（Ｓ２０１１）、位置登録エリアの更新処理を終了する。
図６と図５とを比較すると、図６の場合には、Ｔｒａｃｋｉｎｇ  Ａｒｅａ更新処理を伴うため、位置登録エリア更新要求２００８から位置登録エリア更新応答２０１１までの、Ｔｒａｃｋｉｎｇ  Ａｒｅａ更新処理に伴うシーケンスが多い。このため、Ｔｒａｃｋｉｎｇ  Ａｒｅａのエリア設定を適切に設定し、Ｔｒａｃｋｉｎｇ  Ａｒｅａ境界を超えるハンドオーバを減らすことにより、制御信号の送受信やトラフィックの抑制効果が期待できる。
【００４１】
次に、図７及び図８を用いてハンドオーバの履歴情報とセル間ハンドオーバ数について説明する。
図７は、ハンドオーバ履歴情報を示す図である。
図８は、セル間ハンドオーバ数を表にした例を示す図である。
【００４２】
ＬＴＥシステムの装置ではハンドオーバの履歴情報を取得し、記録することが可能である。例えば、ＭＭＥ３０が図７のようにハンドオーバ履歴情報を記録した場合を例に説明する。ハンドオーバ履歴情報には、ハンドオーバ１回ごとにハンドオーバ情報レコード生成日時、ハンドオーバ移動元セル番号、ハンドオーバ移動先セル番号が記載される。他にＵＥの固有情報やＵＥが接続する他装置の情報などが記載されていてもよい。ハンドオーバ履歴情報の取得時間は、ハンドオーバ情報を記録する装置にて任意に設定可能である。ハンドオーバ履歴情報の取得対象のセルは取得する装置によって異なる。例えば、ＭＭＥ３０がハンドオーバ履歴情報を取得した場合、ＭＭＥ３０配下のｅＮＢ２０、ｅＮＢ２１のエリア内のハンドオーバ履歴情報、ＭＭＥ３０とその他のＭＭＥ（ＭＭＥ３１など）のエリアをまたがるハンドオーバ履歴情報を取得可能である。
【００４３】
図７に示したハンドオーバ履歴情報を分析することにより、ハンドオーバ時の移動元、移動先セルがわかるため、ＵＥのセル間の移動数を抽出することができる。ここで、図８に示すように、移動元セルを縦軸に、移動先セルを横軸に対応をマトリックスとして表現することができる。
【００４４】
次に、図９を用いてハンドオーバ履歴情報からセル間ハンドオーバ数を算出する処理について説明する。  
図９は、ハンドオーバ履歴情報からセル間ハンドオーバ数を算出する処理を示すフローチャートである。
【００４５】
セル間ハンドオーバ数を算出する装置は、ＬＴＥシステム内のいずれの装置でも可能である。例として、エリア管理サーバ１２０がセル間ハンドオーバ数の抽出を行なった場合で説明する。その場合には、ＭＭＥ３０からハンドオーバ履歴情報が、エリア管理サーバ１２０に送信され（図１２により、後述）、エリア管理サーバ１２０は、ハンドオーバ履歴情報ＤＢ３０１を保持している。エリア管理サーバ１２０がハンドオーバ履歴情報ＤＢ３０１のハンドオーバ履歴情報からセル間ハンドオーバ数の算出する場合は、先ず、ハンドオーバ履歴情報の１行目を読み込む（Ｓ３００１）。読み込んだレコードがセル間ハンドオーバ数を抽出したい時間内のレコードか否かを判定し（Ｓ３００２）、時間内であれば移動元セル、移動先セルに対応したセル間ハンドオーバ数を加算する（Ｓ３００３）。そうでない場合は何もせず次に進む。その後、読み込んだレコードがハンドオーバ履歴情報の最終行か判定する（Ｓ３００４）。最終行でない場合は、次の行を読み込み（Ｓ３００５）、再度セル間ハンドオーバ数を抽出したい時間内のレコードかを判定し（Ｓ３００２）、時間内であれば移動元セル、移動先セルに対応したセル間ハンドオーバ数を加算する（Ｓ３００３）ことを繰り返す。最終行である場合は、セル間ハンドオーバ数の抽出を終了する。算出されたセル間ハンドオーバ数は、例えば、図８に示したような結果にまとめられる。
【００４６】
次に、図１０及び図１１を用いてＴｒａｃｋｉｎｇ  Ａｒｅａの推奨設定の算出処理について説明する。  
図１０は、Ｔｒａｃｋｉｎｇ  Ａｒｅａの推奨設定を算出する処理を示すフローチャートである。  
図１１は、図４のＴｒａｃｋｉｎｇ  Ａｒｅａを変更する場合の一例を示す図である。
【００４７】
本実施形態では、セル間ハンドオーバ数の抽出を行ったエリア管理サーバ１２０がＴｒａｃｋｉｎｇ  Ａｒｅａの推奨設定の算出を行なった場合を説明する。エリア管理サーバ１２０には、その算出のために必要な情報を、Ｔｒａｃｋｉｎｇ  Ａｒｅａ情報ＤＢ３００に有するものとする。
【００４８】
エリア管理サーバ１２０がＴｒａｃｋｉｎｇ  Ａｒｅａの推奨設定の算出を行う場合には、先ず、ＬＵＮを無限大として設定する（Ｓ４００１）。ここで、ＬＵＮは、位置情報更新数である。なお、無限大とは、以下の不等式の比較において、他の値より十分大きいことを示すために定めるものである。ここで、Ｔｒａｃｋｉｎｇ  Ａｒｅａの推奨設定を算出したいセルの範囲にて、Ｔｒａｃｋｉｎｇ  Ａｒｅａ数、Ｔｒａｃｋｉｎｇ  Ａｒｅａ間のＵＥ数の差の許容範囲、Ｔｒａｃｋｉｎｇ  Ａｒｅａ間の面積の差の許容範囲などをパラメータとして、Ｔｒａｃｋｉｎｇ  Ａｒｅａのエリア設定の候補を別途算出して、その候補の中から全てのエリア設定にて、順番に、以下の処理を実行する。
【００４９】
先ず、算出中のエリア設定におけるＴｒａｃｋｉｎｇ  Ａｒｅａ境界を越えるハンドオーバ数の総和を算出し、それをＬＵＮ＿ｔとする（Ｓ４００２）。次に、ＬＵＮ＿ｔとＬＵＮの数値を比較し（Ｓ４００３）、ＬＵＮ＿ｔがＬＵＮより小さい場合（Ｓ４００３：Ｙｅｓ）、ＬＵＮにＬＵＮ＿ｔを代入し、このときのエリア設定を仮推奨設定とする（Ｓ４００４）。ＬＵＮ＿ｔがＬＵＮより小さくない場合には（Ｓ４００３：Ｎｏ）、Ｓ４００４の処理はスキップし、次のエリア設定の場合の処理にいく。
【００５０】
そして、このＬＵＮ＿ｔの算出、ＬＵＮとＬＵＮ＿ｔの比較処理を算出された全てのＴｒａｃｋｉｎｇ  Ａｒｅａのエリア設定にて実行し、最終的にＬＵＮを記録したときの仮推奨設定をＴｒａｃｋｉｎｇ  Ａｒｅａの推奨設定として（Ｓ４００５）、算出を終了する。Ｔｒａｃｋｉｎｇ  Ａｒｅａの推奨設定の算出もセル間ハンドオーバ数の抽出と同様に、ＬＴＥシステム内のいずれの装置でも可能である。また、セル間ハンドオーバ数の抽出とＴｒａｃｋｉｎｇ  Ａｒｅａの推奨設定の算出を異なる装置で行うことも可能である。その場合、両装置間でセル間ハンドオーバ数の抽出結果を送受信する必要がある。
【００５１】
このようにして、図１０のフローチャートにより示された処理を実行することにより、Ｔｒａｃｋｉｎｇ  Ａｒｅａの推奨設定の算出を行なった装置では、Ｔｒａｃｋｉｎｇ  Ａｒｅａ境界を超えるハンドオーバ数が最も少ないエリア設定であるＴｒａｃｋｉｎｇ  Ａｒｅａの推奨設定を算出することができる。Ｔｒａｃｋｉｎｇ  Ａｒｅａの推奨設定の算出を行なった装置がこの推奨設定を、オペレータ１００に通知することにより、オペレータ１００は、この方法で算出した推奨設定を一つの指標として位置登録エリアのエリア設定を見直すことができる。
【００５２】
例えば、図３に示したセル構成の場合には、セル♯１−セル♯４、セル♯２−セル♯４、セル♯５−セル♯４でのハンドオーバ数の和と、セル♯３−セル♯４、セル♯６−セル♯４、セル♯７−セル♯４でのハンドオーバ数の和を比較したとき、セル♯３−セル♯４、セル♯６−セル♯４、セル♯７−セル♯４でのハンドオーバ数の和が小さかったときには、図４に示したＴｒａｃｋｉｎｇ  Ａｒｅａが図１１に示したように変更される。
【００５３】
オペレータ１００がこのエリア設定に変更すると、変更前の設定と比較してＴｒａｃｋｉｎｇ  Ａｒｅａ境界を越えるハンドオーバ数が減少するため、制御信号の送受信やトラフィックが抑制されることが期待できる。
【００５４】
次に、図１２及び図１３を用いてＴｒａｃｋｉｎｇ  Ａｒｅａの推奨設定のシステムにおける処理と、Ｔｒａｃｋｉｎｇ  Ａｒｅａの推奨設定の表示ＵＩ（User Interface）について説明する。  
図１２は、Ｔｒａｃｋｉｎｇ  Ａｒｅａの推奨設定のシステムにおける処理を示すシーケンス図である。  
図１３は、Ｔｒａｃｋｉｎｇ  Ａｒｅａの推奨設定の表示ＵＩの一例を示す図である。
【００５５】
先ず、オペレータ１００がＮＥＭ操作端末１１０を操作し、Ｔｒａｃｋｉｎｇ  Ａｒｅａの推奨設定の算出を実行する（Ｓ５０００）。
【００５６】
ＮＥＭ操作端末１１０は、ＮＥＭ９０へＴｒａｃｋｉｎｇ  Ａｒｅａの推奨設定の算出を命令する（Ｓ５００１）。ＮＥＭ９０は、Ｔｒａｃｋｉｎｇ  Ａｒｅａの推奨設定の算出範囲のＭＭＥ３０に、ハンドオーバ履歴情報取得要求を送信する（Ｓ５００２）。ＭＭＥ３０は、ＮＥＭ９０にハンドオーバ履歴情報を送信し（Ｓ５００３）、ＮＥＭ９０は、エリア管理サーバ１２０にハンドオーバ履歴情報を送信する（Ｓ５００４）。エリア管理サーバ１２０は、ハンドオーバ履歴情報からセル間ハンドオーバ数を算出し（Ｓ５００５、図９）、セル間ハンドオーバ数に基づいて元Ｔｒａｃｋｉｎｇ  Ａｒｅａの推奨設定を算出する（Ｓ５００６、図１０）。その後、エリア管理サーバ１２０は、ＮＥＭ９０に算出したＴｒａｃｋｉｎｇ  Ａｒｅａの推奨設定を送信し（Ｓ５００７）、ＮＥＭ９０は受信したＴｒａｃｋｉｎｇ  Ａｒｅａの推奨設定をＮＥＭ操作端末１１０に通知する（Ｓ５００８）。オペレータ１００はＮＥＭ操作端末１１０を操作し、Ｔｒａｃｋｉｎｇ  Ａｒｅａの推奨設定を確認する（Ｓ５００９）。ハンドオーバ情報からのセル間ハンドオーバ数の算出やＴｒａｃｋｉｎｇ  Ａｒｅａ推奨設定の算出は、エリア管理サーバ１２０以外の装置での実施も可能である。また、オペレータ１００契機でなく、システム内の任意の装置を契機として算出処理を実施することも可能である。
【００５７】
オペレータ１００は、ＮＥＭ操作端末１１０に表示された図１３の表示ＵＩを見てＴｒａｃｋｉｎｇ  Ａｒｅａの推奨設定を視認することができる。算出範囲指定領域１１１は、Ｔｒａｃｋｉｎｇ  Ａｒｅａの推奨設定の算出を実行するＴｒａｃｋｉｎｇ  Ａｒｅａやセルの範囲を指定する領域である。実行ボタン１１２は、算出範囲指定領域１１１で指定した範囲のＴｒａｃｋｉｎｇ  Ａｒｅａの推奨設定の算出を実行するボタンである。クリアボタン１１３は、算出範囲指定領域１１１の指定を消去するボタンである。エリア表示領域１１４は、Ｔｒａｃｋｉｎｇ  Ａｒｅａの推奨設定と変更前設定を表示する領域である。推奨設定を実線、変更前設定を破線で表示する。算出範囲は、マウスなどのポインティングデバイスで指定できるようにしてもよい。また、マウスの右クリック操作などにより、Ｔｒａｃｋｉｎｇ  Ａｒｅａやセルの属性や関連情報などを表示するようにしてもよい。
【００５８】
表示領域変更ボタン１１５は、表示領域１１４の範囲を変更する矢印カーソルからなるボタンである。表示領域ズームインボタン１１６は、表示領域１１４の表示を拡大するボタンである。表示領域ズームアウトボタン１１７は表示領域１１４の表示を広範囲にするボタンである。推奨設定表示ボタン１１８は、表示領域１１４の推奨設定表示と非表示を切り替えるボタン（トグルボタン）である。変更前設定表示ボタン１１９は、表示領域１１４の変更前設定の表示と非表示を切り替えるボタン（トグルボタン）である。この図の例では、推奨設定のＴｒａｃｋｉｎｇ  Ａｒｅａの境界が、実線で、変更前設定のＴｒａｃｋｉｎｇ  Ａｒｅａの境界が破線で示されている。
【００５９】
推奨設定に変更ボタン１１Ａは、Ｔｒａｃｋｉｎｇ  Ａｒｅａの設定を推奨設定に変更するボタンである。ファイル出力ボタン１１ＢはＴｒａｃｋｉｎｇ  Ａｒｅａの推奨設定と変更前設定をファイルに出力するボタンである。
【符号の説明】
【００６０】
１０…ＵＥ＃１
１１…ＵＥ＃２
１２…ＵＥ＃３
２０…ｅＮＢ＃１
２１…ｅＮＢ＃２
２２…ｅＮＢ＃３
３０…ＭＭＥ
４０…Ｓ−ＧＷ
５０…Ｐ−ＧＷ
６０…ネットワーク
７０…ＰＣＲＦ
８０…ＨＳＳ
９０…ＮＥＭ
１００…オペレータ
１１０…ＮＥＭ操作端末
１１１…算出範囲指定領域
１１２…実行ボタン
１１３…クリアボタン
１１４…エリア表示領域
１１５…表示領域変更ボタン
１１６…表示領域ズームインボタン
１１７…表示領域ズームアウトボタン
１１８…推奨設定表示ボタン
１１９…変更前設定表示ボタン
１１Ａ…推奨設定に変更ボタン
１１Ｂ…ファイル出力ボタン
１２０…エリア管理サーバ
１２１…ＣＰＵ
１２２…メモリ
１２３…ＮＷＩＦ
１２４…ＨＤＤ
【図１】
2017157909.tif 000003
【図２】
2017157909.tif 000004
【図３】
2017157909.tif 000005
【図４】
2017157909.tif 000006
【図５】
2017157909.tif 000007
【図６】
2017157909.tif 000008
【図７】
2017157909.tif 000009
【図８】
2017157909.tif 000010
【図９】
2017157909.tif 000011
【図１０】
2017157909.tif 000012
【図１１】
2017157909.tif 000013
【図１２】
2017157909.tif 000014
【図１３】
2017157909.tif 000015